(57)【要約】【課題】吹き出しダクトから吹き出される冷気の流速分布を最適化して、庫内の冷気が庫外に逃げるのを防止すること。【解決手段】外気側に商品取り出し用の開口が形成された本体部１０と、本体部１０の前記開口の上部側に設けられ、前記開口の下方に向けて冷気ｆを吹き出す吹き出しダクト２０と、吹き出しダクト２０の内部に設けられ、この吹き出しダクト２０内を流れる冷気ｆを、前記開口の外気側を流れる外気側冷気ｆ１と、前記開口の庫内側を流れる庫内側冷気ｆ２に分流させる分流部材３０と、を備え、分流部材３０の外気側冷気ｆ１の取り込み口の開口面積ａ１が、庫内側冷気ｆ２の取り込み口の開口面積ａ２よりも小さく、かつ、分流部材３０の外気側冷気ｆ１の吹き出し口の開口面積ｂ１が、庫内側冷気ｆ２の吹き出し口の開口面積ｂ２よりも大きいオープンショーケースを構成する。【選択図】図２
2017074292.tif 000002
【特許請求の範囲】
【請求項１】
前面側に商品取り出し用の開口が形成された本体部（１０）と、
前記本体部（１０）の前記開口の上部側に設けられ、前記開口の下方に向けて冷気（ｆ）を吹き出す吹き出しダクト（２０）と、
前記吹き出しダクト（２０）の内部に設けられ、この吹き出しダクト（２０）内を流れる前記冷気（ｆ）を、前記開口の外気側を流れる外気側冷気（ｆ１）と、前記開口の庫内側を流れる庫内側冷気（ｆ２）に分流させる分流部材（３０）と、
を備え、前記分流部材（３０）の前記外気側冷気（ｆ１）の取り込み口の開口面積（ａ１）が、前記庫内側冷気（ｆ２）の取り込み口の開口面積（ａ２）よりも小さく、かつ、前記分流部材（３０）の前記外気側冷気（ｆ１）の吹き出し口の開口面積（ｂ１）が、前記庫内側冷気（ｆ２）の吹き出し口の開口面積（ｂ２）よりも大きいオープンショーケース。
【請求項２】
前記吹き出しダクト（２０）を一つのみ備えたシングルエアカーテン方式である請求項１に記載のオープンショーケース。
【請求項３】
前記吹き出しダクト（２０）の吹き出し口側に、前記冷気（ｆ）の流れ方向に沿う管状体を複数束ねて形成された整流部材（２１）をさらに備え、この整流部材（２１）を構成する管状体の長さを、前記開口の庫内側よりも外気側の方で相対的に長くした請求項１又は２に記載のオープンショーケース。
【発明の詳細な説明】
【技術分野】
【０００１】
この発明は、コンビニエンスストア等の小売店舗において、日配食料品等の商品を展示販売する際に用いられるオープンショーケースに関する。
【背景技術】
【０００２】
オープンショーケースは、コンビニエンスストア等の小売店舗において、日配食料品等の商品を展示販売する際に用いられている。このオープンショーケースは、前面側に商品を取り出すための開口が形成された本体部を備えている。この開口には扉は設けられておらず、この開口から直接商品を取り出すことができるようになっている。
【０００３】
このオープンショーケースは、開口が形成されていることから、本体部の内部（以下において、庫内と称する。）の冷気が、この開口から外に逃げやすい。この冷気の逃げは、開口の外気側よりも庫内側において、冷気の温度を低くしたり、冷気の流速を大きくしたりして、庫内の冷気と庫外の空気を遮断することによって低減できる。特に近年においては、地球環境保護のためショーケースの省エネルギー化が強く求められており、庫内の冷気の逃げ低減が大きな技術的課題の一つとなっている。
【０００４】
そこで、例えば、特許文献１に示すショーケースは、ケース本体の内壁面側に、この内壁面側に近い外方通路と、この外方通路よりも庫内側の内方通路を設け、内方通路に蒸発器を通過した冷気を流す一方で、外方通路に蒸発器を迂回した冷気を流す、二重エアカーテン式を採用している。二重エアカーテンとすることで、開口の外気側よりも庫内側において冷気の温度を低くし、庫内の冷気の逃げを防止している（本文献の図１等参照）。
【０００５】
特許文献１に示すショーケースは、冷気を流す複数本の通路（外方通路と内方通路）を設けるために、ある程度の大きさのスペースをケース本体内に確保する必要がある。このため、このスペースの分だけ、庫内の容量が小さくなる問題がある。そこで、図４に示すように、オープンショーケースの本体部１００の内部に設けられた冷気ｆの流路１０１の終端部に、一本の吹き出しダクト１０２を接続し、この吹き出しダクト１０２内に、この吹き出しダクト１０２内を流れる冷気ｆが当接する当接板１０３を設ける構成が考えられる。このように、吹き出しダクト１０２内に当接板を設けることにより、開口近傍の冷気の流速分布（開口の外気側から庫内側までの流速分布）を調節して、庫内の冷気の逃げを防止できる可能性がある。
【先行技術文献】
【特許文献】
【０００６】
【特許文献１】特開２０１２−９２９９５号公報
【発明の概要】
【発明が解決しようとする課題】
【０００７】
図４に示す形状の吹き出しダクトにおいては、本図中に流速分布ｄ２を示すように、吹き出しダクト１０２の前後方向中央部付近（やや庫内側）で最も流速が大きく、外気側及び庫内側に向かうほど流速が小さくなる。このような流速分布ｄ２においては、庫内の冷気ｆが、吹き出しダクト１０２から吹き出された冷気ｆの流速が最も大きい中央部付近に引き寄せられ、引き寄せられた冷気ｆの一部が庫外に逃げやすくなり、冷却効率が低下する問題がある。
【０００８】
そこで、この発明は、吹き出しダクトから吹き出される冷気の流速分布を最適化して、庫内の冷気が庫外に逃げるのを防止することを課題とする。
【課題を解決するための手段】
【０００９】
上記の課題を解決するため、この発明は、前面側に商品取り出し用の開口が形成された本体部と、前記本体部の前記開口の上部側に設けられ、前記開口の下方に向けて冷気を吹き出す吹き出しダクトと、前記吹き出しダクトの内部に設けられ、この吹き出しダクト内を流れる前記冷気を、前記開口の外気側を流れる外気側冷気と、前記開口の庫内側を流れる庫内側冷気に分流させる分流部材と、を備え、前記分流部材の前記外気側冷気の取り込み口の開口面積が、前記庫内側冷気の取り込み口の開口面積よりも小さく、かつ、前記分流部材の前記外気側冷気の吹き出し口の開口面積が、前記庫内側冷気の吹き出し口の開口面積よりも大きいオープンショーケースを構成した。
【００１０】
このように、吹き出しダクト内に分流部材を設けると、外気側冷気に対して、庫内側冷気に対するよりも相対的に大きな流動抵抗が生じて、吹き出しダクトから吹き出す冷気の流速分布が、開口の外気側ほど小さく、庫内側ほど大きくなる。このため、庫内の冷気の逃げを防止することができ、消費電力の削減を図ることができる。
【００１１】
前記構成においては、前記吹き出しダクトを一つのみ備えたシングルエアカーテン方式とするのが好ましい。
【００１２】
シングルエアカーテン方式とすることにより、吹き出しダクトの設置に要するスペースを削減することができ、その削減分だけ、庫内の容量を拡大することができる。
【００１３】
前記各構成においては、前記吹き出しダクトの吹き出し口側に、前記冷気の流れ方向に沿う管状体を複数束ねて形成された整流部材をさらに備え、この整流部材を構成する管状体の長さを、前記開口の庫内側よりも外気側の方で相対的に長くするのが好ましい。
【００１４】
この整流部材（管状体）は、冷気が流れる際の流動抵抗となるため、管状体の長さが長ければ長いほど、冷気の流動抵抗が大きくなり、その流速は低下する。本構成のように、管状体の長さを外気側と庫内側との間で変えることによって、外気側と庫内側との間で冷気の流動抵抗を適宜変化させることができ、吹き出しダクトから吹き出された冷気の流速を、開口からの冷気の逃げの防止に好ましい分布に整流することができる。このため、冷気の逃げ防止効果が高まって、消費電力の一層の削減を図ることができる。
【発明の効果】
【００１５】
この発明は、前面側に商品取り出し用の開口が形成された本体部と、前記本体部の前記開口の上部側に設けられ、前記開口の下方に向けて冷気を吹き出す吹き出しダクトと、前記吹き出しダクトの内部に設けられ、この吹き出しダクト内を流れる前記冷気を、前記開口の外気側を流れる外気側冷気と、前記開口の庫内側を流れる庫内側冷気に分流させる分流部材と、を備え、前記分流部材の前記外気側冷気の取り込み口の開口面積が、前記庫内側冷気の取り込み口の開口面積よりも小さく、かつ、前記分流部材の前記外気側冷気の吹き出し口の開口面積が、前記庫内側冷気の吹き出し口の開口面積よりも大きいオープンショーケースを構成した。このように、吹き出しダクト内に分流部材を設けることにより、吹き出しダクトから吹き出す冷気の流速分布を、開口の外気側ほど小さく庫内側ほど大きくすることができ、庫内の冷気の逃げを防止して消費電力の削減を図ることができる。
【図面の簡単な説明】
【００１６】
【図１】本願発明に係るオープンショーケースの第一実施形態を示す縦断面図
【図２】図１に示すショーケースの要部を示す縦断面図
【図３】本願発明に係るオープンショーケースの第二実施形態の要部を示す縦断面図
【図４】従来技術に係るオープンショーケースの一実施形態の要部を示す縦断面図
【発明を実施するための形態】
【００１７】
本願発明に係るオープンショーケースの第一実施形態（縦断面図）を図１に、その要部を図２にそれぞれ示す。このオープンショーケースは、コンビニエンスストア等の小売店舗において、日配食料品等の商品を展示販売する際に用いられている。
【００１８】
このオープンショーケースは、本体部１０と、吹き出しダクト２０と、分流部材３０とを主要な構成要素としている。
【００１９】
本体部１０は、前面側に商品取り出し用の開口が形成された箱型の部材である。この開口には扉は設けられておらず、この開口から直接商品を取り出すことができるようになっている。本体部１０の内部（以下において、庫内と称する。）には、商品を載置するための複数の棚１１が設けられている。庫内の下部側にはスノコ１２が設けられている。このスノコ１２の下側には、このスノコ１２との間に所定の間隔を保って、底板１３が設けられている。
【００２０】
スノコ１２の下側には、庫内の冷気（図１中の矢印ｆを参照）を循環させる庫内ファン１４が設けられている。また、庫内の背面側及び上面側には、冷気ｆを循環させるための流路１５が形成されている。流路１５の途中（この実施形態では庫内の背面側）には、冷却器１６が設けられており、空気がこの冷却器１６を通過する際に所定の温度に冷却される。また、底板１３の下方側には、冷凍機ユニット１７（圧縮機等）が設けられている。
【００２１】
なお、この冷凍機ユニット１７をオープンショーケースに併設する代わりに、オープンショーケースから離れた場所（例えば、小売店舗の外）に設置する構成とすることもできる。このようにすれば、一つの冷凍機ユニット１７に複数のオープンショーケースを接続することができるとともに、冷凍機ユニット１７からの排熱が、オープンショーケースを設置している店舗の中にこもって室温が上昇するのを防止することができる。
【００２２】
吹き出しダクト２０は、本体部１０の開口の上部側に、流路１５の終端部と接続するように設けられている。この吹き出しダクト２０は、側面視Ｌ字形に形成されており、庫内の上面に沿って水平に流れる冷気ｆを下方に吹き出す役目を有している。
【００２３】
分流部材３０は、側面視Ｌ字形の薄板状の部材であって、吹き出しダクト２０の内部に設けられている。この分流部材３０は、吹き出しダクト２０内を流れる冷気ｆを、前記開口の外気側を流れる外気側冷気ｆ１と、前記開口の庫内側を流れる庫内側冷気ｆ２の二つに分流させる役目を有している。
【００２４】
この分流部材３０は、外気側冷気ｆ１の取り込み口の開口面積ａ１が、庫内側冷気ｆ２の取り込み口の開口面積ａ２よりも小さく、かつ、外気側冷気ｆ１の吹き出し口の開口面積ｂ１が、庫内側冷気ｆ２の吹き出し口の開口面積ｂ２よりも大きくなるように配置されている。具体的には、図２に示す実施形態においては、外気側冷気ｆ１の取り込み口の開口面積ａ１と、庫内側冷気ｆ２の取り込み口の開口面積ａ２の割合は１：７、外気側冷気ｆ１の吹き出し口の開口面積ｂ１と、庫内側冷気ｆ２の吹き出し口の開口面積ｂ２の割合は３：１となっている。なお、この面積割合はあくまでも例示であって、後述する冷気の流速分布（図２中の符号ｄ１で示したグラフ参照）に対応して、適宜変更することができる。
【００２５】
吹き出しダクト２０の吹き出し口側には、整流部材２１が設けられている。この整流部材２１は、冷気ｆの流れ方向に沿うストロー状の管状体を同じ向きに複数束ねたものであって、整流部材２１を通過する冷気ｆの流れを整流する役目を有している。冷気を整流部材２１に通すことにより、吹き出しダクト２０（整流部材２１）から下向きに吹き出した冷気ｆが乱流状態となるのを防止して、この冷気ｆをスムーズに開口の下部側まで到達させることができる。
【００２６】
吹き出しダクト２０から吹き出した冷気ｆは、スノコ１２の前端側に形成された吸込み口１８（図１参照）から吸い込まれる。そして、スノコ１２と底板１３の間を通って庫内ファン１４によって流路１５に送られ、冷却器１６で冷却された上で庫内を循環する。この冷却器１６への結露によって生じた水や、冷却器１６の除霜運転に伴って生じた水は、底板１３の上に滴下する。この底板１３の上面には傾斜面１３ａが形成されており、滴下した水は、この傾斜面１３ａによって、傾斜面１３ａの最低部に設けられたドレン管１９に誘導される。そして、このドレン管１９を通って本体部１０の外に排出される。
【００２７】
取り込み口側及び吹き出し口側の開口面積ａ１、ａ２の割合を上記のようにする（取り込み口側で１：７、吹き出し口側で３：１）ことにより、図２中に示すように、冷気ｆの流速分布ｄ１は、冷気ｆの吹き出し口の庫内側で最も大きく、外気側に向かうほど小さくなる。
【００２８】
分流部材３０を設けた場合と、設けない場合の吹き出し口の外気側、中央部、庫内側の各位置における冷気の流速、及び、冷凍機ユニット１７の運転率を表１に示す。分流部材３０を設けて、冷気ｆの適切な流速分布を形成することにより、開口の庫内側（庫庫内側）寄りに形成された冷気ｆの流速が最も大きい層よりも外気側に逃げにくくなり、高いエアカーテン効果（断熱効果）を確保することができる。このため、冷凍機ユニット１７の運転率を大幅に低下させて、消費電力の削減を図ることができる。
【００２９】
【表１】
2017074292.tif 000003
【００３０】
本願発明に係るオープンショーケースの第二実施形態を図３に示す。図２に示す構成においては、吹き出しダクト２０の吹き出し口側に設けた整流部材２１の冷気流動方向の長さが、その位置に依らず均一であるのに対して、図３に示す構成においては、整流部材２１の冷気流動方向の長さが、庫内側から外気側に向かうほど長くなっている。また、図２に示したように、吹き出しダクト２０の前面側に段差を形成せずに、フラットな面としている。上述したように、この整流部材２１は、ストロー状の複数の管状体を束ねたものであり、この管状体中の流動長さが長くなるほど流動抵抗が大きくなって、冷気ｆの流速は低下する。図３に示す形状の整流部材２１を採用することにより、分流部材３０によって形成された冷気ｆの流速分布ｄ１（図２参照）を整流しつつ、エアカーテン効果を発揮するのにさらに適した流速分布を形成することができる。
【００３１】
上記の実施形態は、あくまでも本願発明に係るオープンショーケースの一例であって、吹き出しダクト２０から吹き出される冷気ｆの流速分布を最適化して、庫内の冷気ｆが庫外に逃げるのを防止する、という本願発明の課題を解決し得る限りにおいて、各構成部材の形状や配置等を適宜変更することができる。
【符号の説明】
【００３２】
１０  本体部
１１  棚
１２  スノコ
１３  底板
１３ａ  傾斜面
１４  庫内ファン
１５  流路
１６  冷却器
１７  冷凍機ユニット
１８  吸込み口
１９  ドレン管
２０  吹き出しダクト
２１  整流部材
３０  分流部材
ｆ  冷気
ｆ１  外気側冷気
ｆ２  庫内側冷気
ａ１  外気側冷気の取り込み口の開口面積
ａ２  庫内側冷気の取り込み口の開口面積
ｂ１  外気側冷気の吹き出し口の開口面積
ｂ２  庫内側冷気の吹き出し口の開口面積
【図１】
2017074292.tif 000004
【図２】
2017074292.tif 000005
【図３】
2017074292.tif 000006
【図４】
2017074292.tif 000007